(57)【要約】【課題】各冷媒系統に帰属する利用ユニットと熱源ユニットの認識と、冷媒系統による制約を受けないデータの送受信とを容易に行えるようにする。【解決手段】第１機器である第１熱源ユニット１１０と第１利用ユニット１２０には、第１冷媒系統１００の第１冷媒が流れる。第２機器である第２熱源ユニット２１０と第２利用ユニット２２０には、第２冷媒系統２００の第２冷媒が流れる。通信回線３００は、通信信号によって複数の第１機器及び複数の第２機器の間で通信できるように敷設されている。通信回線３００は、第１系統確認信号によって、複数の第１機器の間で通信でき且つ複数の第１機器と複数の第２機器の間では通信できないように敷設されている。通信回線３００は、第２系統確認信号によって、第２系統確認信号によって複数の第２機器の間で通信でき且つ複数の第１機器と複数の第２機器の間では通信できないように敷設されている。【選択図】図１
2020165605.tif 000002
【特許請求の範囲】
【請求項１】
第１冷媒系統（１００）の中で第１冷媒が循環し、第２冷媒系統（２００）の中で第２冷媒が循環し、前記第１冷媒が前記第２冷媒系統に流れず且つ前記第２冷媒が前記第１冷媒系統に流れないように構成され、前記第１冷媒及び前記第２冷媒を使って空気調和を行う空気調和システム（１）であって、
前記第１冷媒系統の前記第１冷媒が流れる複数の第１機器（１１０，１２０，１５０）と、
前記第２冷媒系統の前記第２冷媒が流れる複数の第２機器（２１０，２２０，２５０）と、
前記複数の第１機器及び前記複数の第２機器を繋ぐ通信回線（３００，４００，５００）と、
を備え、
前記通信回線は、通信信号によって前記複数の第１機器及び前記複数の第２機器の間で通信でき、第１系統確認信号によって前記複数の第１機器の間で通信でき且つ前記複数の第１機器と前記複数の第２機器の間では通信できず、第２系統確認信号によって前記複数の第２機器の間で通信でき且つ前記複数の第１機器と前記複数の第２機器の間では通信できないように敷設されている、空気調和システム（１）。
【請求項２】
前記通信回線は、前記通信信号を通過させ、前記第１系統確認信号及び前記第２系統確認信号を遮断するフィルタ（４０３，５０５）を前記複数の第１機器と前記複数の第２機器との間に配置して敷設されている、
請求項１に記載の空気調和システム（１）。
【請求項３】
前記通信信号は、高周波信号であり、
前記第１系統確認信号及び前記第２系統確認信号は、低周波信号であり、
前記フィルタは、高周波信号を通過させ、低周波信号を遮断するハイパスフィルタである、
請求項２に記載の空気調和システム（１）。
【請求項４】
前記複数の第１機器は、前記第１系統確認信号を使って通信できる機器を前記複数の第１機器として認識する認識用機器（５５，７０）を含む、
請求項１から３のいずれか一項に記載の空気調和システム（１）。
【請求項５】
前記認識用機器は、第１層認識用機器（５５）と中間認識用機器（７０）とを含み、
前記第１層認識用機器は、前記複数の第１機器の中から第１層グループに属する機器と前記中間認識用機器とを認識し、
前記中間認識用機器は、前記複数の第１機器の中から前記第１層グループに属さず且つ第２層グループに属する機器を認識する、
請求項４に記載の空気調和システム（１）。
【請求項６】
前記通信回線は、前記通信信号及び前記第１系統確認信号を伝送する共通の信号線を有する、
請求項１から５のいずれか一項に記載の空気調和システム（１）。
【発明の詳細な説明】
【技術分野】
【０００１】
複数の冷媒系統を有する空気調和システム
【背景技術】
【０００２】
例えば特許文献１（特開２０１６−２１９９８３号公報）に記載されているように、複数の利用ユニットと複数の熱源ユニットとを備える空気調和システムが、従来からビルなどの建物に設定されている。このような空気調和システムは、１または複数の熱源ユニットと複数の利用ユニットとを接続して、１または複数の熱源ユニットと複数の利用ユニットとの間に冷媒を循環させている。熱源ユニットは、建物の外部の空気と冷媒との間で熱エネルギーを移動させ、利用ユニットは、建物の内部の空気と冷媒との間で熱エネルギーを移動させる。このように構成された空気調和システムでは、建物の内部の空気調和を適正に行うために、熱源ユニットと複数の利用ユニットが、データを送受信している。
【発明の概要】
【発明が解決しようとする課題】
【０００３】
建物が大きくなると、冷媒を循環させる系統が複数必要になる場合がある。例えば、第１冷媒系統には第１冷媒が循環し、第２冷媒系統には第２冷媒が循環する。このように構成された空気調和システムでは、第１冷媒が第２冷媒系統には流れず、第２冷媒が第１冷媒系統には流れない。
【０００４】
このように複数の冷媒系統が存在すると、複数の利用ユニットと複数の熱源ユニットがどの冷媒系統に属するかを、空気調和システムが認識する必要が生じる。このような冷媒系統への利用ユニットと熱源ユニットの帰属の認識以外に、空気調和システムの中での冷媒系統による制約を受けないデータの送受信が必要になる場合がある。冷媒系統による制約を受けないデータの送受信には、例えば、系統外の熱源ユニットと利用ユニットの通信、系統外の熱源ユニット同士の通信、系統外の利用ユニット同士の通信、並びに他の機器と熱源ユニット及び／または利用ユニットとの通信がある。
【０００５】
このような複数の冷媒系統を有する空気調和システムには、各冷媒系統に帰属する利用ユニットと熱源ユニットの認識と、冷媒系統による制約を受けないデータの送受信とを容易に行えるようにするという課題がある。
【課題を解決するための手段】
【０００６】
第１観点の空気調和システムは、第１冷媒系統の中で第１冷媒が循環し、第２冷媒系統の中で第２冷媒が循環し、第１冷媒が第２冷媒系統に流れず且つ第２冷媒が第１冷媒系統に流れないように構成され、第１冷媒及び第２冷媒を使って空気調和を行う。空気調和システムは、複数の第１機器と、複数の第２機器と、通信回線とを備えている。各第１機器には、第１冷媒系統の第１冷媒が流れる。各第２機器には、第２冷媒系統の第２冷媒が流れる。通信回線は、複数の第１機器及び複数の第２機器を繋ぐ。通信回線は、通信信号によって複数の第１機器及び複数の第２機器の間で通信でき、第１系統確認信号によって複数の第１機器の間で通信でき且つ複数の第１機器と複数の第２機器の間では通信できず、第２系統確認信号によって複数の第２機器の間で通信でき且つ複数の第１機器と複数の第２機器の間では通信できないように敷設されている。
【０００７】
第１観点の空気調和システムは、第１系統確認信号と第２系統確認信号を使って、複数の第１機器を第１冷媒系統に属すると認識し、複数の第２機器を第２冷媒系統に属すると認識できる。第１観点の空気調和システムは、第１冷媒系統と第２冷媒系統の両方で使用する情報も、第１系統確認信号と第２系統確認信号の通信に用いる通信回線で、通信信号を使って、複数の第１機器及び複数の第２機器の全体で送受信できる。
【０００８】
第２観点の空気調和システムは、第１観点のシステムであって、通信回線は、通信信号を通過させ、第１系統確認信号及び第２系統確認信号を遮断するフィルタを複数の第１機器と複数の第２機器との間に配置して敷設されている。
【０００９】
第２観点の空気調和システムの通信回線は、通信可能な第１機器と第２機器の範囲を通信信号と第１系統確認信号と第２系統確認信号について異ならせる敷設を、フィルタを使って簡単に実現することができる。
【００１０】
第３観点の空気調和システムは、第２観点のシステムであって、通信信号は、高周波信号である。第１系統確認信号及び第２系統確認信号は、低周波信号である。フィルタは、高周波信号を通過させ、低周波信号を遮断するハイパスフィルタである。
【００１１】
第３観点の空気調和システムの通信回線は、通信可能な第１機器と第２機器の範囲を通信信号と第１系統確認信号と第２系統確認信号について異ならせる敷設を、ハイパスフィルタを使って簡単に実現する。
【００１２】
第４観点の空気調和システムは、第１観点から第３観点のいずれかのシステムであって、複数の第１機器は、第１系統確認信号を使って通信できる機器を複数の第１機器として認識する認識用機器を含む。
【００１３】
第４観点の空気調和システムの認識用機器は、複数の第１機器を第１冷媒系統に属する機器として認識することで、第１冷媒系統の第１冷媒に係わる動作を複数の第１機器に協働して行なわせ易くする。
【００１４】
第５観点の空気調和システムは、第４観点のシステムであって、認識用機器は、第１層認識用機器と中間認識用機器とを含む。第１層認識用機器は、複数の第１機器の中から第１層グループに属する機器と中間認識用機器とを認識する。中間認識用機器は、複数の第１機器の中から第１層グループに属さず且つ第２層グループに属する機器を認識する。
【００１５】
第５観点の空気調和システムの認識用機器は、第２層グループの複数の第１機器を認識することで、第１冷媒系統の第２層グループの第１冷媒に係わる動作を複数の第１機器に協働して行なわせ易くする。
【００１６】
第６観点の空気調和システムは、第１観点から第５観点のいずれかのシステムであって、通信回線は、通信信号及び第１系統確認信号を伝送する共通の信号線を有する。
【００１７】
第６観点の空気調和システムでは、伝送線が通信信号及び第１系統確認信号について共通化されることで、通信回線の敷設が簡素化される。
【図面の簡単な説明】
【００１８】
【図１】第１実施形態に係る空気調和システムの一構成例の概要を示す回路図。
【図２】空気調和システムにおける系統認識のための通信を説明するためのフローチャート。
【図３】第２実施形態に係る空気調和システムの一構成例の概要を示す回路図。
【図４】第３実施形態に係る空気調和システムの一構成例の概要を示す回路図。
【発明を実施するための形態】
【００１９】
＜第１実施形態＞
（１）全体構成
図１に示されている空気調和システム１は、第１実施形態に係るシステムである。図１に示されている空気調和システム１は、例えば、１つの建物１０に設置されている。以下の説明において、空調対象空間ＣＳは、内気が存在する空間であり、例えば、建物１０の中の部屋の中の空間である。非空調対象空間ＮＳは、外気が存在する空間であり、例えば、屋外空間である。言い換えると、建物１０の中に空調対象空間ＣＳがあり、建物１０の外に非空調対象空間ＮＳがある。ここでは、空気調和システム１が１つの建物１０に設置されている場合について説明するが、空気調和システム１は、複数の建物に対して設置される場合もある。空気調和システム１は、第１冷媒系統１００と第２冷媒系統２００を有している。第１冷媒系統１００の中では、第１冷媒が循環している。第２冷媒系統２００の中では、第２冷媒が循環している。第１冷媒が第２冷媒系統２００には流れず、第２冷媒が第１冷媒系統１００には流れないように、空気調和システム１が構成されている。
【００２０】
空気調和システム１は、第１熱源ユニット１１０と、複数の第１利用ユニット１２０と、第２熱源ユニット２１０と、複数の第２利用ユニット２２０とを備えている。第１熱源ユニット１１０と複数の第１利用ユニット１２０には、第１冷媒が流れている。言い換えると、第１熱源ユニット１１０と複数の第１利用ユニット１２０が、第１冷媒の流れる複数の第１機器である。第２熱源ユニット２１０と複数の第２利用ユニット２２０には、第２冷媒が流れている。言い換えると、第２熱源ユニット２１０と複数の第２利用ユニット２２０が、第２冷媒の流れる複数の第２機器である。
【００２１】
空気調和システム１は、第１熱源ユニット１１０と、複数の第１利用ユニット１２０と、第２熱源ユニット２１０と、複数の第２利用ユニット２２０とを接続する通信回線３００を備えている。言い換えると、通信回線３００は、複数の第１機器及び複数の第２機器を繋ぐものである。
【００２２】
通信回線３００は、通信信号によって、第１熱源ユニット１１０と、複数の第１利用ユニット１２０と、第２熱源ユニット２１０と、複数の第２利用ユニット２２０との間で通信できるように敷設されている。言い換えると、通信回線３００は、通信信号によって、複数の第１機器及び複数の第２機器の間で通信できるように敷設されている。
【００２３】
通信回線３００は、第１系統確認信号によって、第１熱源ユニット１１０と複数の第１利用ユニット１２０との間で通信できるように敷設されている。しかし、通信回線３００は、第１系統確認信号によって、第１熱源ユニット１１０及び複数の第１利用ユニット１２０と、第２熱源ユニット２１０及び複数の第２利用ユニット２２０との間で通信できないように敷設されている。言い換えると、通信回線３００は、第１系統確認信号によって、複数の第１機器の間で通信でき且つ複数の第１機器と複数の第２機器の間では通信できないように敷設されているということである。
【００２４】
通信回線３００は、第２系統確認信号によって、第２熱源ユニット２１０と複数の第２利用ユニット２２０との間で通信できるように敷設されている。しかし、通信回線３００は、第２系統確認信号によって、第１熱源ユニット１１０及び複数の第１利用ユニット１２０と、第２熱源ユニット２１０及び複数の第２利用ユニット２２０との間で通信できないように敷設されている。言い換えると、通信回線３００は、第２系統確認信号によって、複数の第２機器の間で通信でき且つ複数の第１機器と複数の第２機器の間では通信できないように敷設されているということである。
【００２５】
例えば、通信回線３００は、敷設されていることによって、通信回線３００以外から制御信号が与えられなくても、第１系統確認信号及び第２系統確認信号では複数の第１機器と複数の第２機器の間では通信できない状態を保ち、通信信号では複数の第１機器と複数の第２機器の間で通信できる状態を保つ。従って、敷設されている通信回線３００では、通信信号を用いる通信においては複数の第１機器と複数の第２機器とが常時接続されており、第１系統確認信号及び第２系統確認信号を用いる通信においては複数の第１機器と複数の第２機器とが常時遮断されている。
【００２６】
図１に示されている空気調和システム１では、通信回線３００が物理的な伝送線３０１、物理的な伝送線３０２及び物理的な伝送線３０３を有している。これら物理的に分離された３つの伝送線３０１，３０２，３０３の敷設が、通信回線３００の敷設である。
【００２７】
物理的な伝送線３０１に、第１熱源ユニット１１０と複数の第１利用ユニット１２０が接続されている。この伝送線３０１を通って送られる第１系統確認信号によって、第１熱源ユニット１１０と複数の第１利用ユニット１２０とは、互いに通信することができる。しかし、この伝送線３０１に接続されていない第２熱源ユニット２１０及び複数の第２利用ユニット２２０は、第１系統確認信号によって、第１熱源ユニット１１０及び複数の第１利用ユニット１２０と通信することができない。
【００２８】
物理的な伝送線３０２に、第２熱源ユニット２１０と複数の第２利用ユニット２２０が接続されている。この伝送線３０２を通って送られる第２系統確認信号によって、第２熱源ユニット２１０と複数の第２利用ユニット２２０とは、互いに通信することができる。しかし、この伝送線３０２に接続されていない第１熱源ユニット１１０及び複数の第１利用ユニット１２０は、第２系統確認信号によって、第２熱源ユニット２１０及び複数の第２利用ユニット２２０と通信することができない。
【００２９】
物理的な伝送線３０３によって、第１熱源ユニット１１０と、複数の第１利用ユニット１２０と、第２熱源ユニット２１０と、複数の第２利用ユニット２２０が接続されている。この伝送線３０３を通って送られる通信信号によって、第１熱源ユニット１１０と、複数の第１利用ユニット１２０と、第２熱源ユニット２１０と、複数の第２利用ユニット２２０とは、互いに通信することができる。
【００３０】
従って、第１実施形態の空気調和システム１は、第１系統確認信号を使うことにより、第１冷媒系統１００に属する機器として、第１熱源ユニット１１０及び複数の第１利用ユニット１２０を認識することができる。空気調和システム１は、第２系統確認信号を使うことにより、第２冷媒系統２００に属する機器として、第２熱源ユニット２１０及び複数の第２利用ユニット２２０を認識することができる。なお、第１熱源ユニット１１０は、第１系統確認信号を送信するので、当然に、自身が第１冷媒系統１００に属する機器であることは認識できる。同様に、第２熱源ユニット２１０は、第２系統確認信号を送信するので、当然に、自身が第２冷媒系統２００に属する機器であることは認識できる。
【００３１】
（２）詳細構成
（２−１）第１冷媒系統１００、第２冷媒系統２００
第１冷媒系統１００は、第１冷媒を循環させるための冷媒管１３１，１３２で接続されている第１熱源ユニット１１０と複数の第１利用ユニット１２０を含んで構成されている。冷媒管１３１，１３２の中を第１冷媒が流れている。第２冷媒系統２００は、第２冷媒を循環させるための冷媒管２３１，２３２で接続されている第２熱源ユニット２１０と複数の第２利用ユニット２２０を含んで構成されている。冷媒管２３１，２３２の中を第２冷媒が流れている。空気調和システム１において、第１冷媒系統１００では第１冷媒を用いて蒸気圧縮式冷凍サイクルが行われ、第２冷媒系統２００では第２冷媒を用いて蒸気圧縮式冷凍サイクルが行われる。第１冷媒系統１００で行われる蒸気圧縮式冷凍サイクルと、第２冷媒系統２００で行われる蒸気圧縮式冷凍サイクルとは、互いに独立して行われる。しかし、第１冷媒系統１００と第２冷媒系統２００で行われる蒸気圧縮式冷凍サイクルが関連するように構成されてもよい。
【００３２】
なお、空気調和システム１の制御のために、例えば、空調対象空間ＣＳの内気の温度、各所における第１冷媒の温度及び圧力、並びに各所における第２冷媒の温度及び圧力が検出されるが、それらの検出のためのセンサなどの記載は省略する。
【００３３】
（２−１−１）第１熱源ユニット１１０と第２熱源ユニット２１０
第１熱源ユニット１１０と第２熱源ユニット２１０は、それぞれ、圧縮機５１と、四方弁５２と、熱源側熱交換器５３と、熱源側膨張弁５４と、熱源側コントローラ５５とを備えている。熱源側コントローラ５５は、圧縮機５１、四方弁５２及び熱源側膨張弁５４を制御する。熱源側コントローラ５５は、マイクロコントローラユニット（ＭＣＵ）５５ａと、送信機５５ｂと、送受信機５５ｃとを備えている。第１熱源ユニット１１０の送信機５５ｂは、伝送線３０１に接続されている。第２熱源ユニット２１０の送信機５５ｂは、伝送線３０２に接続されている。第１熱源ユニット１１０及び第２熱源ユニット２１０の送受信機５５ｃは、伝送線３０３に接続されている。
【００３４】
ＭＣＵは、例えば、制御演算装置と、記憶装置（メモリ）とを備えるものである。制御演算装置には、ＣＰＵ又はＧＰＵといったプロセッサを使用できる。制御演算装置は、記憶装置に記憶されているプログラムを読み出し、このプログラムに従って所定の画像処理や演算処理を行う。さらに、制御演算装置は、プログラムに従って、演算結果を記憶装置に書き込んだり、記憶装置に記憶されている情報を読み出したりすることができる。
【００３５】
第１熱源ユニット１１０の圧縮機５１と四方弁５２と熱源側熱交換器５３と熱源側膨張弁５４とには、第１冷媒が流れる。第２熱源ユニット２１０の圧縮機５１と四方弁５２と熱源側熱交換器５３と熱源側膨張弁５４とには、第２冷媒が流れる。
【００３６】
圧縮機５１は、低圧ガス状の冷媒を吸入し、冷媒を圧縮して、高圧ガス状の冷媒を吐出する機器である。四方弁５２は、第１ポート、第２ポート、第３ポート及び第４ポートの４つのポートを持ち、ポート間の接続状態を切り換えられるように構成された機器である。熱源側熱交換器５３は、冷媒と外気との間で熱交換を行わせる機器である。熱源側膨張弁５４は、ガス状態の冷媒を減圧する機器である。四方弁５２の第１ポートに圧縮機５１の吐出口が接続され、第２ポートに熱源側熱交換器５３の一方の出入口が接続され、第３ポートに圧縮機５１の吸入口が接続され、第４ポートに冷媒管１３２または冷媒管２３２が接続されている。四方弁５２は、第１ポートと第２ポートの間を冷媒が流れ且つ第３ポートと第４ポートの間を冷媒が流れる状態と、第１ポートと第４ポートの間を冷媒が流れ且つ第２ポートと第３ポートの間を冷媒が流れる状態とを切り換える。熱源側熱交換器５３の他方の出入口には、熱源側膨張弁５４の一方の出入口が接続されている。熱源側膨張弁５４の他方の出入口には、冷媒管１３１または冷媒管２３１が接続されている。
【００３７】
（２−１−２）第１利用ユニット１２０と第２利用ユニット２２０
各第１利用ユニット１２０と各第２利用ユニット２２０は、それぞれ、利用側熱交換器６１と、利用側膨張弁６２と利用側コントローラ６３とを備えている。各利用側コントローラ６３は、マイクロコントローラユニット（ＭＣＵ）６３ａと、受信機６３ｂと、送受信機６３ｃとを備えている。各第１利用ユニット１２０の受信機６３ｂは、伝送線３０１に接続されている。各第２利用ユニット２２０の受信機６３ｂは、伝送線３０２に接続されている。複数の第１利用ユニット１２０及び複数の第２利用ユニット２２０の各送受信機６３ｃは、伝送線３０３に接続されている。
【００３８】
各第１利用ユニット１２０の利用側膨張弁６２と利用側熱交換器６１には、第１冷媒が流れる。各第２利用ユニット２２０の利用側膨張弁６２と利用側熱交換器６１には、第２冷媒が流れる。
【００３９】
利用側熱交換器６１は、冷媒と内気との間で熱交換を行わせる機器である。利用側膨張弁６２は、ガス状態の冷媒を減圧するまたは冷媒の流量を調節する機器である。利用側膨張弁６２の一方の出入口が冷媒管１３１または冷媒管２３１に接続されている。利用側膨張弁６２の他方の出入口が利用側熱交換器６１の一方の出入口に接続されている。利用側熱交換器６１の他方の出入口が冷媒管１３２または冷媒管２３２に接続されている。
【００４０】
（２−１−３）冷房運転
冷房運転では、各利用側熱交換器６１が蒸発器として機能することで、空調対象空間ＣＳの空気の温度を低下させる。
【００４１】
圧縮機５１は、四方弁５２の第１ポートと第２ポートを繋ぐ経路を経由して熱源側熱交換器５３に、高圧ガス状体の冷媒を吐出する。熱源側熱交換器５３は、高圧ガス状の冷媒と外気との間で熱交換を行わせて、冷媒を凝縮させる。熱源側コントローラ５５は、例えば、熱源側膨張弁５４の開度を開いた状態で固定している。熱源側熱交換器５３で凝縮された高圧液体状の冷媒は、熱源側膨張弁５４と冷媒管１３１または２３１とを経由して送られる。
【００４２】
各利用側膨張弁６２は、冷媒管１３１または２３１を経由して送られてきた高圧液体状の冷媒を減圧する。各利用側熱交換器６１は、各利用側膨張弁６２から送られてきた低圧液体状の冷媒と外気との間で熱交換を行わせて、冷媒を蒸発させる。各利用側コントローラ６３は、例えば、各利用側熱交換器６１の他方の出入口における冷媒の過熱度が過熱度目標値になるように、各利用側膨張弁６２の開度を調節する。各利用側熱交換器６１において蒸発して低圧ガス状になった冷媒は、冷媒管１３２または２３２と四方弁５２の第４ポートと第３ポートを繋ぐ経路とを経由して圧縮機５１に吸入される。
【００４３】
（２−１−４）暖房運転
暖房運転では、各利用側熱交換器６１が凝縮器として機能することで、空調対象空間ＣＳの空気の温度を上昇させる。
【００４４】
圧縮機５１は、四方弁５２の第１ポートと第４ポートを繋ぐ経路及び冷媒管１３２または２３２を経由して各利用側熱交換器６１に、高圧ガス状体の冷媒を吐出する。各利用側熱交換器６１は、高圧ガス状の冷媒と内気との間で熱交換を行わせて、冷媒を凝縮させる。各利用側膨張弁６２は、各利用側熱交換器６１で凝縮された高圧液体状の冷媒の流量を調整する。各利用側コントローラ６３は、例えば、各利用側熱交換器６１の他方の出入口における冷媒の過冷却度が過冷却度目標値になるように、各利用側膨張弁６２の開度を調節する。各利用側膨張弁６２を出た高圧液体状の冷媒は、冷媒管１３１または２３１を経由して熱源側膨張弁５４に送られる。
【００４５】
熱源側膨張弁５４は、冷媒管１３１または２３１を経由して送られてきた高圧液体状の冷媒を減圧する。熱源側熱交換器５３は、熱源側膨張弁５４から送られてきた低圧液体状の冷媒と外気との間で熱交換を行わせて、冷媒を蒸発させる。熱源側熱交換器５３において蒸発して低圧ガス状になった冷媒は、四方弁５２の第２ポートと第３ポートを繋ぐ経路とを経由して圧縮機５１に吸入される。熱源側コントローラ５５は、例えば、圧縮機５１に吸入される冷媒の過熱度が過熱度目標値になるように、熱源側膨張弁５４の開度を調節する。
【００４６】
（３）空気調和システム１における通信
（３−１）系統認識のための通信
系統認識を行うときの空気調和システム１の通信について、図２を用いて説明する。ここで説明する系統認識のための通信は、第１冷媒系統１００に属している複数の第１利用ユニット１２０を第１熱源ユニット１１０が認識し、第２冷媒系統２００に属している第２利用ユニット２２０を第２熱源ユニット２１０が認識するための通信である。従って、系統認識のための通信が行われる前は、第１熱源ユニット１１０が複数の第１利用ユニット１２０が第１冷媒系統１００に属していることを認識していない。同様に、系統認識のための通信が行われる前は、第２熱源ユニット２１０が複数の第２利用ユニット２２０が第１冷媒系統１００に属していることを認識していない。
【００４７】
系統認識のための通信を行うのに、空気調和システム１の電源が投入される（ステップＳＴ１）。
【００４８】
伝送線３０３に接続されている複数の熱源側コントローラ５５及び複数の利用側コントローラ６３が、ネットワークを確立する（ステップＳＴ２）。例えば、第１熱源ユニット１１０の熱源側コントローラ５５が、送受信機５５ｃを使い、第２熱源ユニット２１０の送受信機５５ｃ並びに複数の第１利用ユニット１２０の送受信機６３ｃ及び複数の第２利用ユニット２２０の送受信機６３ｃに対して、通信信号の送受信を行うことにより、ネットワークの確立を行う。
【００４９】
ネットワークを確立した後、第１熱源ユニット１１０、複数の第１利用ユニット１２０、第２熱源ユニット２１０及び複数の第２利用ユニット２２０は、それぞれ、通信アドレスを取得する（ステップＳＴ３）。複数の熱源側コントローラ５５の各ＭＣＵ５５ａ及び複数の利用側コントローラ６３の各ＭＣＵ６３ａは、例えば、自動的に通信アドレスを取得する機能を備えている。この機能を使って、第１熱源ユニット１１０、複数の第１利用ユニット１２０、第２熱源ユニット２１０及び複数の第２利用ユニット２２０は、互いに重複しない通信アドレスを取得することができる。
【００５０】
第１熱源ユニット１１０と第２熱源ユニット２１０は、送受信機５５ｃを使った通信により協調し、ネットワーク上の１台の熱源ユニットを選出する（ステップＳＴ４）。なお、ここでは、第１熱源ユニット１１０と第２熱源ユニット２１０の２台の熱源ユニットのみがネットワーク上に存在している。そのため、ステップＳＴ４では、熱源ユニットの選出は、第１熱源ユニット１１０と第２熱源ユニット２１０のいずれかを選択する。しかし、ネットワーク上には３台以上の熱源ユニットが存在してもよい。ネットワーク上には３台以上の熱源ユニットが存在する場合には、３台以上の熱源ユニットの中から１台の熱源ユニットが選出される。
【００５１】
選出された熱源ユニットは、送信機５５ｂを使って、熱源ユニットが属する冷媒系統の複数の利用ユニットに、系統確認信号を送信する（ステップＳＴ５）。例えば、第１熱源ユニット１１０が選出された場合、第１熱源ユニット１１０は、送信機５５ｂを使って伝送線３０１に第１系統確認信号を送信する。第１熱源ユニット１１０は、第１系統確認信号の送信と同時に、または第１系統確認信号の送信と前後して、自己の通信アドレスを、送受信機５５ｃを使って送信する。伝送線３０１を通して受信機６３ｂで第１系統確認信号を受信し、且つ伝送線３０３を通して送受信機６３ｃで通信アドレスを受信した複数の第１利用ユニット１２０は、それぞれのＭＣＵ６３ａのメモリに、受信した通信アドレスを記憶する。
【００５２】
冷媒系統認識信号と熱源ユニットの通信アドレスを受信した利用ユニットは、自己の通信アドレスを、熱源ユニットの通信アドレス宛に送信する（ステップＳＴ６）。第１熱源ユニット１１０が選出された場合、複数の第１利用ユニット１２０が自己の通信アドレスを、第１熱源ユニット１１０の通信アドレス宛に送受信機６３ｃを使って伝送線３０３を通して送信する。
【００５３】
選出された熱源ユニットは、送られてきた利用ユニットの通信アドレスを、同一冷媒系統の利用ユニットを登録する同一系統リストに登録する（ステップＳＴ７）。第１熱源ユニット１１０は、伝送線３０３を通して自己の通信アドレスに宛てて送られてきた第１利用ユニット１２０の通信アドレスを同一系統リストに順次追加していく。例えば、第１熱源ユニット１１０のＭＣＵ５５ａのメモリに、同一系統リストの記憶領域があるので、第１熱源ユニット１１０のＭＣＵ５５ａは、伝送線３０３を通して送られてくる複数の第１利用ユニット１２０の通信アドレスを、同一系統リストの記憶領域に順次記憶していく。第１熱源ユニット１１０は、同一系統リストを保持するということが、自己が第１冷媒系統１００に属しているという認識に相当する。
【００５４】
選出された熱源ユニットは、自己が属する冷媒系統の全ての利用ユニットの登録を完了すると、自己が属する冷媒系統の系統認識が完了したことをネットワーク全体に通知する（ステップＳＴ８）。第１熱源ユニット１１０が選出された場合、第１冷媒系統１００の全ての第１利用ユニット１２０の登録を完了すると、第１熱源ユニット１１０は、送受信機５５ｃを使って伝送線３０３を通して、第１冷媒系統１００の系統認識が完了したことをネットワーク全体に通知する。
【００５５】
系統認識がまだ完了していない熱源ユニットがあるか否かを判断する（ステップＳＴ８）。先に、第１熱源ユニット１１０が選出された場合、第１熱源ユニット１１０による第１冷媒系統１００の系統認識が完了しても、第２熱源ユニット２１０による第２冷媒系統２００の系統認識が完了していない（ステップＳＴ９のＹｅｓ）。このような場合には、第１熱源ユニット１１０と第２熱源ユニット２１０は、送受信機５５ｃを使った通信により協調し、第２熱源ユニット２１０を選出する（ステップＳＴ４）。
【００５６】
第２熱源ユニット２１０が選出された場合、上述の第１熱源ユニット１１０が選出された場合と同様に、ステップＳＴ５からステップＳＴ８までの動作が繰り返される。
【００５７】
第１熱源ユニット１１０及び第２熱源ユニット２１０による第１冷媒系統１００及び第２冷媒系統２００の系統認識が終了すると、系統認識が完了していない熱源ユニットが無くなるので（ステップＳＴ９のＮｏ）、系統認識のための通信を終了する。
【００５８】
上述の系統認識のための通信の例では、送受信機５５ｃ，６３ｃによる伝送線３０３を通した通信において、通信アドレスを使って通信先及び／または通信元を特定する場合について説明した。しかし、通信先及び／または通信元の特定は、通信アドレスを使った特定に限られるものではない。例えば、第１熱源ユニット１１０、複数の第１利用ユニット１２０、第２熱源ユニット２１０及び複数の第２利用ユニット２２０のそれぞれが有している固有のＩＤを使って、空気調和システム１は、送受信機５５ｃ，６３ｃによる伝送線３０３を通した通信において、通信先及び／または通信元を特定するように構成されてもよい。
【００５９】
（３−２）系統認識後の通信
系統認識が完了すると、第１熱源ユニット１１０のＭＣＵ５５ａの同一系統リストに、伝送線３０１に接続されている全ての第１利用ユニット１２０の通信アドレスが登録される。系統認識が完了すると、第２熱源ユニット２１０のＭＣＵ５５ａの同一系統リストに、伝送線３０２に接続されている全ての第２利用ユニット２２０の通信アドレスが登録される。
【００６０】
第１熱源ユニット１１０は、ＭＣＵ５５ａに記憶されている同一系統リストを使って、第１冷媒系統１００に属する複数の第１利用ユニット１２０を特定して、通信回線３００を通して、第１冷媒系統１００の蒸気圧縮式冷凍サイクルを制御することができる。第２熱源ユニット２１０は、ＭＣＵ５５ａに記憶されている同一系統リストを使って、第２冷媒系統２００に属する複数の第２利用ユニット２２０を特定して、第２冷媒系統２００の蒸気圧縮式冷凍サイクルを制御することができる。
【００６１】
例えば、第１熱源ユニット１１０の圧縮機５１の吐出温度が異常に高くなったときに、第１熱源ユニット１１０は、同一系統リストに登録されている全ての第１利用ユニット１２０に対して、送受信機５５ｃを使い、伝送線３０３を通して、圧縮機５１の吐出温度異常に対応するように指示することができる。第１熱源ユニット１１０は、同一系統リストに登録されている一部の第１利用ユニット１２０に対して、送受信機５５ｃを使い、伝送線３０３を通して、例えば、利用側膨張弁６２の開度、過熱度目標値、過冷却度目標値などを変更するように要求することもできる。第１熱源ユニット１１０は、同一系統リストに登録されている一部の第１利用ユニット１２０に対して、送受信機５５ｃを使い、伝送線３０３を通して、各第１利用ユニット１２０が有している情報を第１熱源ユニット１１０に送信するように要求することもできる。
【００６２】
第１熱源ユニット１１０も第２熱源ユニット２１０も、送受信機５５ｃを使い、伝送線３０３を通して、全ての第１利用ユニット１２０及び全ての第２利用ユニット２２０と通信することができる。例えば、第１熱源ユニット１１０が建物１０の外の管理装置と公衆回線で通信できるときに、全ての第１利用ユニット１２０及び全ての第２利用ユニット２２０の情報を第１熱源ユニット１１０が送受信機５５ｃを使って伝送線３０３を通して収集し、当該情報を第１熱源ユニット１１０が管理装置に送信することができる。
【００６３】
＜第２実施形態＞
（４）全体構成
図３に示されている空気調和システム１は、第２実施形態に係るシステムである。図３に示されている第２実施形態の空気調和システム１は、図１に示されている第１実施形態の空気調和システム１に対して、通信回線４００の構成を違えている。また、第２実施形態の空気調和システム１は、第１実施形態の空気調和システム１に対して、通信回線４００を使って、通信信号の送受信を行う機器、第１系統確認信号の送受信を行う機器及び第２系統確認信号の送受信を行う機器の構成を違えている。
【００６４】
第２実施形態においても、空気調和システム１と建物１０との関係、空気調和システム１と空調対象空間ＣＳとの関係、及び空気調和システム１と非空調対象空間ＮＳとの関係については第１実施形態と同様の場合を例に説明するので、ここでは、これらの関係の説明を省略する。
【００６５】
第２実施形態においては、空気調和システム１の構成について、通信回線４００の構成及び通信回線４００を使って送受信する機器の構成を除いて、第１実施形態と同様の場合を例に説明する。そのため、第２実施形態では、空気調和システム１の構成のうち第１実施形態で説明した箇所の説明を省略する。
【００６６】
空気調和システム１は、第１熱源ユニット１１０と、複数の第１利用ユニット１２０と、第２熱源ユニット２１０と、複数の第２利用ユニット２２０とを接続する通信回線４００を備えている。通信回線４００は、通信信号によって、第１熱源ユニット１１０と、複数の第１利用ユニット１２０と、第２熱源ユニット２１０と、複数の第２利用ユニット２２０との間で通信できるように敷設されている。通信回線４００は、第１系統確認信号によって、第１熱源ユニット１１０と複数の第１利用ユニット１２０との間で通信できるように敷設されている。しかし、通信回線４００は、第１系統確認信号によって、第１熱源ユニット１１０及び複数の第１利用ユニット１２０と、第２熱源ユニット２１０及び複数の第２利用ユニット２２０との間で通信できないように敷設されている。通信回線４００は、第２系統確認信号によって、第２熱源ユニット２１０と複数の第２利用ユニット２２０との間で通信できるように敷設されている。しかし、通信回線４００は、第２系統確認信号によって、第１熱源ユニット１１０と第２熱源ユニット２１０の間、第１熱源ユニット１１０と複数の第２利用ユニット２２０との間、複数の第１利用ユニット１２０と第２熱源ユニット２１０との間、及び複数の第１利用ユニット１２０と複数の第２利用ユニット２２０との間で通信できないように敷設されている。
【００６７】
図３に示されている空気調和システム１では、通信回線４００が物理的な伝送線４０１，４０２及びフィルタ４０３を有している。伝送線４０１と伝送線４０２は、フィルタ４０３を介して接続されている。これら物理的に分離された２つの伝送線４０１，４０２の敷設及びフィルタ４０３による伝送線４０１，４０２の接続が、通信回線４００の敷設である。
【００６８】
物理的な伝送線４０１に、第１熱源ユニット１１０と複数の第１利用ユニット１２０が接続されている。この伝送線４０１を通って送られる第１系統確認信号によって、第１熱源ユニット１１０と複数の第１利用ユニット１２０とは、互いに通信することができる。第１系統確認信号は、フィルタ４０３によって遮断されて、伝送線４０１から伝送線４０２へは伝送されない。そのため、この伝送線４０１に接続されていない第２熱源ユニット２１０及び複数の第２利用ユニット２２０は、第１系統確認信号によって、第１熱源ユニット１１０及び複数の第１利用ユニット１２０と通信することができない。
【００６９】
物理的な伝送線４０２に、第２熱源ユニット２１０と複数の第２利用ユニット２２０が接続されている。この伝送線４０２を通って送られる第２系統確認信号によって、第２熱源ユニット２１０と複数の第２利用ユニット２２０とは、互いに通信することができる。第２系統確認信号は、フィルタ４０３によって遮断されて、伝送線４０２から伝送線４０１へは伝送されない。そのため、この伝送線４０２に接続されていない第１熱源ユニット１１０及び複数の第１利用ユニット１２０は、第２系統確認信号によって、第２熱源ユニット２１０及び複数の第２利用ユニット２２０と通信することができない。
【００７０】
通信信号は、フィルタ４０３を通過することができる。そのため、通信回線４００は、物理的な伝送線４０１から伝送線４０２に通信信号を伝送させることができ、物理的な伝送線４０２から伝送線４０１に通信信号を伝送させることができる。これら伝送線４０１，４０２を通って送られる通信信号によって、第１熱源ユニット１１０と、複数の第１利用ユニット１２０と、第２熱源ユニット２１０と、複数の第２利用ユニット２２０とは、互いに通信することができる。
【００７１】
従って、第２実施形態の空気調和システム１は、第１系統確認信号を使うことにより、第１冷媒系統１００に属する機器として、第１熱源ユニット１１０及び複数の第１利用ユニット１２０を認識することができる。空気調和システム１は、第２系統確認信号を使うことにより、第２冷媒系統２００に属する機器として、第２熱源ユニット２１０及び複数の第２利用ユニット２２０を認識することができる。
【００７２】
（５）詳細構成
（５−１）第１熱源ユニット１１０と第２熱源ユニット２１０
第２実施形態の第１熱源ユニット１１０と第２熱源ユニット２１０がそれぞれ備えている送信機５５ｂと送受信機５５ｃの機能に特徴がある。第１熱源ユニット１１０の送信機５５ｂ及び送受信機５５ｃは、いずれも伝送線４０１に接続されている。第２熱源ユニット２１０の送信機５５ｂ及び送受信機５５ｃは、いずれも伝送線４０２に接続されている。第２実施形態の送信機５５ｂが送信する第１系統確認信号及び第２系統確認信号は、低周波信号である。本開示においては、低周波信号は、周波数が１０ＫＨｚ以下の信号と定義する。低周波信号には、直流（周波数が０Ｈｚの信号）も含まれる。第２実施形態の送受信機５５ｃが送信する通信信号は、高周波信号である。本開示においては、高周波信号は、周波数が１００ＫＨｚ以上の信号と定義する。第２実施形態において、第１熱源ユニット１１０と第２熱源ユニット２１０が上述のように構成されている場合、フィルタ４０３は、低周波信号を遮断し、高周波信号を通過させるように構成される。フィルタ４０３は、第１系統確認信号及び第２系統確認信号の周波数と、通信信号の周波数との間に遮断周波数を持っている。このようなフィルタ４０３としては、例えば、ハイパスフィルタがある。
【００７３】
送受信機５５ｃは、後述する送受信機６３ｃと高周波の通信信号によって通信を行う。送信機５５ｂは、後述する受信機６３ｂと低周波の、第１系統確認信号または第２系統確認信号によって通信を行う。
【００７４】
（５−２）第１利用ユニット１２０と第２利用ユニット２２０
第２実施形態の第１利用ユニット１２０と第２利用ユニット２２０がそれぞれ備えている受信機６３ｂと送受信機６３ｃの機能に特徴がある。第１利用ユニット１２０の受信機６３ｂ及び送受信機６３ｃは、いずれも伝送線４０１に接続されている。第２利用ユニット２２０の受信機６３ｂ及び送受信機６３ｃは、いずれも伝送線４０２に接続されている。第２実施形態の受信機６３ｂが受信する第１系統確認信号及び第２系統確認信号は、低周波信号である。第２実施形態の送受信機６３ｃが送信する通信信号は、高周波信号である。
【００７５】
（５−３）フィルタ４０３
フィルタ４０３は、高周波信号を通過させ、低周波信号を遮断する機器である。受動的に、高周波信号を通過させ、低周波信号を遮断するフィルタとしては、例えば、コンデンサ、低周波信号を減衰させる減衰器がある。例えば、高周波信号を通過させ、直流信号を遮断する誘導型カプラもフィルタ４０３として用いることができる。フィルタ４０３として使用するフィルタは、能動素子を用いたアクティブフィルタでもよい。また、高周波信号を通過させ、低周波信号を遮断するフィルタとして、例えば、伝送線４０１，４０２の低周波信号を検知して、伝送線４０１，４０２の接続と非接続を切り替えるスイッチング装置がある。スイッチング装置は、伝送線４０１，４０２を低周波信号が伝送するときに、伝送線４０１，４０２を非接続とする装置である。スイッチング装置において伝送線４０１，４０２の接続と非接続を切り替えるために、例えば、リレーを用いることができる。
【００７６】
（６）空気調和システム１における通信
（６−１）系統認識のための通信
第２実施形態の系統認識のための通信も第１実施形態の系統認識のための通信と同様に、図２を用いて説明することができる。まず、系統認識のための通信を行うのに、空気調和システム１の電源が投入される（ステップＳＴ１）。伝送線４０１，４０２に接続されている複数の熱源側コントローラ５５及び複数の利用側コントローラ６３が、ネットワークを確立する（ステップＳＴ２）。ネットワークを確立した後、第１熱源ユニット１１０、複数の第１利用ユニット１２０、第２熱源ユニット２１０及び複数の第２利用ユニット２２０は、それぞれ、通信アドレスを取得する（ステップＳＴ３）。
【００７７】
第１熱源ユニット１１０と第２熱源ユニット２１０は、送受信機５５ｃを使った通信により協調し、ネットワーク上の１台の熱源ユニットを選出する（ステップＳＴ４）。選出された熱源ユニットは、送信機５５ｂを使って、熱源ユニットが属する冷媒系統の複数の利用ユニットに、系統確認信号を送信する（ステップＳＴ５）。例えば、第１熱源ユニット１１０が選出された場合、第１熱源ユニット１１０は、送信機５５ｂを使って伝送線４０１に第１系統確認信号を送信する。第１系統確認信号が低周波信号であるため、フィルタ４０３で遮断されて、第１系統確認信号は、伝送線４０２には伝送されない。第１熱源ユニット１１０は、第１系統確認信号の送信と同時に、または第１系統確認信号の送信と前後して、自己の通信アドレスを、送受信機５５ｃを使って送信する。この場合、第１熱源ユニット１１０は、通信アドレスを、周波数が０以外の低周波信号で送るように構成されてもよく、または高周波信号で送るように構成されてもよい。伝送線４０１を通して受信機６３ｂで第１系統確認信号を受信し、且つ送受信機６３ｃまたは受信機６３ｂで通信アドレスを受信した複数の第１利用ユニット１２０は、それぞれのＭＣＵ６３ａのメモリに、受信した通信アドレスを記憶する。
【００７８】
冷媒系統認識信号と熱源ユニットの通信アドレスを受信した利用ユニットは、自己の通信アドレスを、熱源ユニットの通信アドレス宛に送信する（ステップＳＴ６）。第１熱源ユニット１１０が選出された場合、複数の第１利用ユニット１２０が自己の通信アドレスを、第１熱源ユニット１１０の通信アドレス宛に送受信機６３ｃを使って伝送線３０３を通して送信する。
【００７９】
選出された熱源ユニットは、送られてきた利用ユニットの通信アドレスを、同一冷媒系統の利用ユニットを登録する同一系統リストに登録する（ステップＳＴ７）。第１熱源ユニット１１０が選出された場合、複数の第１利用ユニット１２０が、自己の通信アドレスを、送受信機６３ｃを使って伝送線３０３を通して第１熱源ユニット１１０の通信アドレスに宛てて送る。第１熱源ユニット１１０は、伝送線４０１を通して自己の通信アドレスに宛てて送られてきた第１利用ユニット１２０の通信アドレスを同一系統リストに順次追加していく。第１熱源ユニット１１０は、同一系統リストを保持するということが、自己が第１冷媒系統１００に属しているという認識に相当する。
【００８０】
選出された熱源ユニットは、自己が属する冷媒系統の全ての利用ユニットの登録を完了すると、自己が属する冷媒系統の系統認識が完了したことをネットワーク全体に通知する（ステップＳＴ８）。第１熱源ユニット１１０が選出された場合、第１冷媒系統１００の全ての第１利用ユニット１２０の登録を完了すると、第１熱源ユニット１１０は、送受信機５５ｃを使って伝送線４０１，４０２を通して、第１冷媒系統１００の系統認識が完了したことをネットワーク全体に通知する。
【００８１】
系統認識が完了していない熱源ユニットがあるか否かを判断する（ステップＳＴ８）。先に、第１熱源ユニット１１０が選出された場合、第１熱源ユニット１１０による第１冷媒系統１００の系統認識が完了しても、第２熱源ユニット２１０による第２冷媒系統２００の系統認識が完了していない（ステップＳＴ９のＹｅｓ）。このような場合には、第１熱源ユニット１１０と第２熱源ユニット２１０は、送受信機５５ｃを使った通信により協調し、第２熱源ユニット２１０を選出する（ステップＳＴ４）。
【００８２】
第２熱源ユニット２１０が選出された場合、上述の第１熱源ユニット１１０が選出された場合と同様に、ステップＳＴ５からステップＳＴ８までの動作が繰り返される。
【００８３】
第１熱源ユニット１１０及び第２熱源ユニット２１０による第１冷媒系統１００及び第２冷媒系統２００の系統認識が終了すると、系統認識が完了していない熱源ユニットが無くなるので（ステップＳＴ９のＮｏ）、系統認識のための通信を終了する。
【００８４】
上述の系統認識のための通信の例では、送受信機５５ｃ，６３ｃによる伝送線４０１を通した通信において、通信アドレスを使って通信先及び／または通信元を特定する場合について説明した。しかし、通信先及び／または通信元の特定は、通信アドレスを使った特定に限られるものではない。例えば、第１熱源ユニット１１０、複数の第１利用ユニット１２０、第２熱源ユニット２１０及び複数の第２利用ユニット２２０のそれぞれが有している固有のＩＤを使って、空気調和システム１は、送受信機５５ｃ，６３ｃによる伝送線４０１を通した通信において、通信先及び／または通信元を特定するように構成されてもよい。
【００８５】
（６−２）系統認識後の通信
第２実施形態による系統認識後の通信は、通信回線４００を用いるとともに高周波信号である通信信号を用いる点が、第１実施形態による系統認識後の通信と異なる。しかし、その他の点については、第２実施形態による系統認識後の通信が第１実施形態による系統認識後の通信と同様に行えるので、第２実施形態による系統認識後の通信の説明を省略する。
【００８６】
＜第３実施形態＞
（７）全体構成
図４に示されている空気調和システム１は、第３実施形態に係るシステムである。空気調和システム１は、第１冷媒系統１００と第２冷媒系統２００を有している。第１冷媒系統１００の中では、第１冷媒が循環している。第２冷媒系統２００の中では、第２冷媒が循環している。第１冷媒が第２冷媒系統２００には流れず、第２冷媒が第１冷媒系統１００には流れないように、空気調和システム１が構成されている。
【００８７】
空気調和システム１は、第１熱源ユニット１１０と、複数の第１利用ユニット１２０と、第１中間ユニット１５０と、第２熱源ユニット２１０と、複数の第２利用ユニット２２０と、第２中間ユニット２５０とを備えている。第１熱源ユニット１１０と複数の第１利用ユニット１２０と第１中間ユニット１５０とには、第１冷媒が流れている。言い換えると、第１熱源ユニット１１０と複数の第１利用ユニット１２０と第１中間ユニット１５０とが、第１冷媒の流れる複数の第１機器である。第２熱源ユニット２１０と複数の第２利用ユニット２２０と第２中間ユニット２５０には、第２冷媒が流れている。言い換えると、第２熱源ユニット２１０と複数の第２利用ユニット２２０と第２中間ユニット２５０が、第２冷媒の流れる複数の第２機器である。
【００８８】
空気調和システム１は、第１熱源ユニット１１０と、複数の第１利用ユニット１２０と、第２熱源ユニット２１０と、複数の第２利用ユニット２２０と、第１中間ユニット１５０と、第２中間ユニット２５０とを接続する通信回線５００を備えている。言い換えると、通信回線５００は、複数の第１機器及び複数の第２機器を繋ぐものである。
【００８９】
通信回線５００は、通信信号によって、第１熱源ユニット１１０と、複数の第１利用ユニット１２０と、第２熱源ユニット２１０と、複数の第２利用ユニット２２０と、第１中間ユニット１５０と、第２中間ユニット２５０との間で通信できるように敷設されている。言い換えると、通信回線５００は、通信信号によって、複数の第１機器及び複数の第２機器の間で通信できるように敷設されている。
【００９０】
通信回線５００は、第１系統確認信号によって、第１熱源ユニット１１０と複数の第１利用ユニット１２０と第１中間ユニット１５０との間で通信できるように敷設されている。しかし、通信回線５００は、第１系統確認信号によって、第１熱源ユニット１１０、複数の第１利用ユニット１２０及び第１中間ユニット１５０と、第２熱源ユニット２１０、複数の第２利用ユニット２２０及び第２中間ユニット２５０との間で通信できないように敷設されている。言い換えると、通信回線５００は、第１系統確認信号によって、複数の第１機器の間で通信でき且つ複数の第１機器と複数の第２機器の間では通信できないように敷設されているということである。
【００９１】
通信回線５００は、第２系統確認信号によって、第２熱源ユニット２１０と複数の第２利用ユニット２２０と第２中間ユニット２５０との間で通信できるように敷設されている。しかし、通信回線３００は、第２系統確認信号によって、第１熱源ユニット１１０、複数の第１利用ユニット１２０及び第１中間ユニット１５０と、第２熱源ユニット２１０、複数の第２利用ユニット２２０及び第２中間ユニット２５０との間で通信できないように敷設されている。言い換えると、通信回線３００は、第２系統確認信号によって、複数の第２機器の間で通信でき且つ複数の第１機器と複数の第２機器の間では通信できないように敷設されているということである。
【００９２】
図４に示されている空気調和システム１では、通信回線５００が物理的な伝送線５０１，５０２，５０３，５０４及びフィルタ５０５，５０６，５０７を有している。伝送線５０１と伝送線５０３は、フィルタ５０５を介して接続されている。伝送線５０１と伝送線５０２は、フィルタ５０６を介して接続されている。伝送線５０３と伝送線５０４は、フィルタ５０７を介して接続されている。これら物理的に分離された４つの伝送線５０１，５０２，５０３，５０４の敷設、フィルタ５０５による伝送線５０１，５０３の接続、フィルタ５０６による伝送線５０１，５０２の接続及びフィルタ５０７による伝送線５０３，５０４の接続が、通信回線５００の敷設である。
【００９３】
物理的な伝送線５０１に、第１熱源ユニット１１０と１台の第１利用ユニット１２０と第１中間ユニット１５０が接続されている。物理的な伝送線５０２に、第１中間ユニット１５０と複数台の第１利用ユニット１２０が接続されている。ここでは、伝送線５０１に１台の第１利用ユニット１２０が接続されている場合を例に挙げて説明するが、伝送線５０１に接続される第１利用ユニット１２０は複数台であってもよい。また、伝送線５０２に複数の第１利用ユニット１２０が接続されている場合を例に挙げて説明するが、伝送線５０２に接続される第１利用ユニット１２０は１台でもよい。第１系統確認信号は、フィルタ５０６を通過することができ、伝送線５０１から伝送線５０２に伝送される。そのため、これら伝送線５０１，５０２を通って送られる第１系統確認信号によって、第１熱源ユニット１１０と複数の第１利用ユニット１２０と第１中間ユニット１５０は、互いに通信することができる。第１系統確認信号は、フィルタ５０５によって遮断されて、伝送線５０１から伝送線５０３へは伝送されない。そのため、これら伝送線５０１，５０２に接続されていない第２熱源ユニット２１０、複数の第２利用ユニット２２０及び第２中間ユニット２５０は、第１系統確認信号によって、第１熱源ユニット１１０、複数の第１利用ユニット１２０及び第１中間ユニット１５０と通信することができない。
【００９４】
物理的な伝送線５０３に、第２熱源ユニット２１０と１台の第２利用ユニット２２０と第２中間ユニット２５０が接続されている。物理的な伝送線５０４に、第２中間ユニット２５０と複数の第２利用ユニット２２０が接続されている。ここでは、伝送線５０３に１台の第２利用ユニット２２０が接続されている場合を例に挙げて説明するが、伝送線５０３に接続される第２利用ユニット２２０は複数台であってもよい。また、伝送線５０４に複数の第２利用ユニット２２０が接続されている場合を例に挙げて説明するが、伝送線５０４に接続される第２利用ユニット２０は１台でもよい。第２系統確認信号は、フィルタ５０７を通過することができ、伝送線５０３から伝送線５０４に伝送される。そのため、これら伝送線５０３，５０４を通って送られる第２系統確認信号によって、第２熱源ユニット２１０と複数の第２利用ユニット２２０と第２中間ユニット２５０は、互いに通信することができる。第２系統確認信号は、フィルタ５０５によって遮断されて、伝送線５０３から伝送線５０１へは伝送されない。そのため、これら伝送線５０３，５０４に接続されていない第１熱源ユニット１１０、複数の第１利用ユニット１２０及び第１中間ユニット１５０は、第２系統確認信号によって、第２熱源ユニット２１０、複数の第２利用ユニット２２０及び第２中間ユニット２５０と通信することができない。このようなフィルタ５０５としては、例えば、通信信号を高周波信号とし、第１系統確認信号と第２系統確認信号を低周波信号とする場合、ハイパスフィルタを用いることができる。
【００９５】
物理的な伝送線５０１，５０２，５０３，５０４によって、第１熱源ユニット１１０と、複数の第１利用ユニット１２０と、第１中間ユニット１５０と、第２熱源ユニット２１０と、複数の第２利用ユニット２２０と、第２中間ユニット２５０が接続されている。これら伝送線５０１，５０２，５０３，５０４を通って送られる通信信号によって、第１熱源ユニット１１０と、複数の第１利用ユニット１２０と、第１中間ユニット１５０と、第２熱源ユニット２１０と、複数の第２利用ユニット２２０と、第２中間ユニット２５０とは、互いに通信することができる。
【００９６】
従って、第３実施形態の空気調和システム１は、第１系統確認信号を使うことにより、第１冷媒系統１００に属する機器として、第１熱源ユニット１１０、複数の第１利用ユニット１２０及び第１中間ユニット１５０を認識することができる。空気調和システム１は、第２系統確認信号を使うことにより、第２冷媒系統２００に属する機器として、第２熱源ユニット２１０、複数の第２利用ユニット２２０及び第２中間ユニット２５０を認識することができる。
【００９７】
第１中間ユニット１５０は、伝送線５０２を通して、フィルタ５０６で遮断される第３系統確認信号を送ることができる。伝送線５０２に接続されている複数の第１利用ユニット１２０は、第３系統確認信号を受信することができるように構成されている。第１中間ユニット１５０は、第３系統確認信号を使って、第１中間ユニット１５０との間で第１冷媒を授受する複数の第１利用ユニット１２０を認識することができる。ここで、伝送線５０２に接続されている複数の第１利用ユニット１２０が第２層グループに属する機器である。それに対して、伝送線５０１に接続されている第１熱源ユニット１１０、１台の第１利用ユニット１２０及び第１中間ユニット１５０が第１層グループに属する機器である。
【００９８】
第２中間ユニット２５０は、伝送線５０４を通して、フィルタ５０７で遮断される第４系統確認信号を送ることができる。伝送線５０４に接続されている複数の第２利用ユニット２２０は、第４系統確認信号を受信することができるように構成されている。第２中間ユニット２５０は、第４系統確認信号を使って、第２中間ユニット２５０との間で第２冷媒を授受する複数の第２利用ユニット２２０を認識することができる。ここで、伝送線５０４に接続されている複数の第２利用ユニット２２０が第２層グループに属する機器である。それに対して、伝送線５０３に接続されている第２熱源ユニット２１０、１台の第２利用ユニット２２０及び第２中間ユニット２５０が第１層グループに属する機器である。
【００９９】
（８）詳細構成
（８−１）第１冷媒系統１００、第２冷媒系統２００
第１冷媒系統１００は、第１冷媒を循環させるための冷媒管１４１，１４２，１４３に接続されている第１熱源ユニット１１０と、１台の第１利用ユニット１２０と、第１中間ユニット１５０とを含んで構成されている。また、第１冷媒系統１００は、第１中間ユニット１５０と冷媒管１４４，１４５で接続されている複数の第１利用ユニット１２０も含んで構成されている。冷媒管１４１，１４２，１４３，１４４，１４５の中を第１冷媒が流れている。
【０１００】
第２冷媒系統２００は、第２冷媒を循環させるための冷媒管２４１，２４２，２４３に接続されている第２熱源ユニット２１０と、１台の第２利用ユニット２２０と、第２中間ユニット２５０とを含んで構成されている。また、第２冷媒系統２００は、第２中間ユニット２５０と冷媒管２４４，２４５で接続されている複数の第２利用ユニット２２０も含んで構成されている。冷媒管２４１，２４２，２４３，２４４，２４５の中を第１冷媒が流れている。
【０１０１】
空気調和システム１において、第１冷媒系統１００では第１冷媒を用いて蒸気圧縮式冷凍サイクルが行われ、第２冷媒系統２００では第２冷媒を用いて蒸気圧縮式冷凍サイクルが行われる。第１冷媒系統１００で行われる蒸気圧縮式冷凍サイクルと、第２冷媒系統２００で行われる蒸気圧縮式冷凍サイクルとは、互いに独立して行われる。
【０１０２】
なお、空気調和システム１の制御のために、例えば、空調対象空間ＣＳの内気の温度、各所における第１冷媒の温度及び圧力、並びに各所における第２冷媒の温度及び圧力が検出されるが、それらの検出のためのセンサなどの記載は省略する。
【０１０３】
（８−１−１）第１熱源ユニット１１０と第２熱源ユニット２１０
第１熱源ユニット１１０と第２熱源ユニット２１０は、それぞれ、圧縮機と、四方弁と、熱交換器と、膨張弁と、熱源側コントローラとを備えて構成されるが、ここでは、これらの機器の図示を省く。第１熱源ユニット１１０は、冷媒管１４３に流れるガス状の第１冷媒を吸入して、冷媒管１４１に流れる低温且つ液体状の第１冷媒及び、冷媒管１４２に流れる高温且つガス状の第１冷媒を供給する。第２熱源ユニット２１０は、冷媒管２４３に流れるガス状の第２冷媒を吸入して、冷媒管２４１に流れる低温且つ液体状の第２冷媒及び、冷媒管２４２に流れる高温且つガス状の第２冷媒を供給する。第１熱源ユニット１１０と第２熱源ユニット２１０が備える熱源側コントローラは、第２実施形態と同様のものを用いることができる。
【０１０４】
（８−１−２）第１利用ユニット１２０と第２利用ユニット２２０
各第１利用ユニット１２０と各第２利用ユニット２２０は、それぞれ、熱交換器と、膨張弁と利用側コントローラとを備えているが、ここでは、これらの機器の図示を省く。各第１利用ユニット１２０は、低温の第１冷媒を使って冷房を行い、あるいは高温の第１冷媒を使って暖房を行う。各第２利用ユニット２２０は、低温の第２冷媒を使って冷房を行い、あるいは高温の第２冷媒を使って暖房を行う。
【０１０５】
（８−１−３）第１中間ユニット１５０と第２中間ユニット２５０
第１中間ユニット１５０は、第１中間ユニット１５０に接続されている複数の第１利用ユニット１２０に流す第１冷媒の流れを切り換えるなど、複数の第１利用ユニット１２０に流す第１冷媒を調整する機器である。第２中間ユニット２５０は、第２中間ユニット２５０に接続されている複数の第２利用ユニット２２０に流す第２冷媒の流れを切り換えるなど、複数の第２利用ユニット２２０に流す第２冷媒を調整する機器である。第１中間ユニット１５０及び第２中間ユニット２５０は、それぞれ、中間コントローラ７０を備えている。
【０１０６】
中間コントローラ７０は、マイクロコントローラユニット（ＭＣＵ）７０ａと、受信機７０ｂと、送受信機７０ｃと、送信機７０ｄとを備えている。第１中間ユニット１５０の受信機７０ｂと送受信機７０ｃは、伝送線５０１に接続されている。第１中間ユニット１５０の送信機７０ｄは、伝送線５０２に接続されている。送受信機７０ｃは、高周波の通信信号により、送受信機５５ｃ，６３ｃと通信する。受信機７０ｂは、低周波の第１系統確認信号または第４系統確認信号により送信機５５ｂと通信する。受信機７０ｂは、低周波の第３系統確認信号または第４系統確認信号により受信機６３ｂと通信する。
【０１０７】
（９）空気調和システム１における通信
第３実施形態において、第１冷媒系統１００及び第２冷媒系統２００の系統認識を行うときの空気調和システム１の通信は、第１中間ユニット１５０と第２中間ユニット２５０とを除き、第２実施形態と同様に行われる。第１中間ユニット１５０は、受信機７０ｂを、第１利用ユニット１２０の受信機６３ｂと同様に用いることができる。第１中間ユニット１５０は、受信機７０ｂを用いることで、第１利用ユニット１２０と同様に、第１熱源ユニット１１０によって第１冷媒系統１００に属する機器であることを認識させることができる。このとき、第１層認識用機器である第１熱源ユニット１１０の熱源側コントローラ５５は、中間認識用機器である第１中間ユニット１５０の中間コントローラ７０を認識する。第２中間ユニット２５０は、受信機７０ｂを、第２利用ユニット２２０の受信機６３ｂと同様に用いることができる。第２中間ユニット２５０は、受信機７０ｂを用いることで、第２利用ユニット２２０と同様に、第２熱源ユニット２１０によって第２冷媒系統２００に属する機器であることを認識させることができる。このとき、第１層認識用機器である第２熱源ユニット２１０の熱源側コントローラ５５は、中間認識用機器である第２中間ユニット２５０の中間コントローラ７０を認識する。
【０１０８】
第１熱源ユニット１１０及び第２熱源ユニット２１０の送信機５５ｂは、第１系統確認信号及び第２系統確認信号として、例えば、１０KHzの低周波信号を用いる。これら１０KHzの第１系統確認信号及び第２系統確認信号は、フィルタ５０６，５０７を通過する。このように構成された空気調和システム１では、第１中間ユニット１５０に冷媒管１４４，１４５で接続されている複数の第１利用ユニット１２０に、第１熱源ユニット１１０が、第１系統確認信号を直接送信することができる。同様に、第２中間ユニット２５０に冷媒管２４４，２４５で接続されている複数の第２利用ユニット２２０に、第２熱源ユニット２１０が、第２系統確認信号を直接送信することができる。
【０１０９】
第１中間ユニット１５０は、第１系統確認信号よりも周波数の低い第３系統確認信号を、送信機７０ｄにより伝送線５０２を通して伝送させるように構成される。第３系統確認信号としては、例えば、１KHzの低周波信号を用いる。この１KHzの第３系統確認信号は、フィルタ５０６で遮断される。第３系統確認信号を受信した第１利用ユニット１２０は、例えば、第２実施形態で説明したように、第１中間ユニット１５０の中間コントローラ７０は通信アドレスを取得し、自己の通信アドレスを第１中間ユニット１５０に送信する。その結果、第１中間ユニット１５０は、伝送線５０２に接続されている複数の第１利用ユニット１２０を、第１層グループに属さず且つ第２層グループに属する機器として認識することができる。第１中間ユニット１５０のＭＣＵ７０は、同一系統リストに取得した複数の第１利用ユニット１２０の通信アドレスを登録する。第１中間ユニット１５０の中間コントローラ７０は、中間認識用機器である。第３系統確認信号がフィルタ５０６で遮断されるので、第１中間ユニット１５０は、伝送線５０１に接続されている第１利用ユニット１２０を第２層グループに属する機器として認識することはない。第１中間ユニット１５０は、第２層グループに属する機器として認識した複数の第１利用ユニット１２０の通信アドレスを第１熱源ユニット１１０に伝送線５０１を通して送信する。その結果、第１熱源ユニット１１０の熱源側コントローラ５５は、第２層グループに属する複数の第１利用ユニット１２０を認識することができる。第１冷媒系統に属する機器の認識と第２層グループに属する機器の認識の結果さらに、第１熱源ユニット１１０の熱源側コントローラ５５は、第１熱源ユニット１１０、１台の第１利用ユニット１２０及び第１中間ユニット１５０が、第１層グループに属することを認識することができる。
【０１１０】
なお、第２中間ユニット２５０も、第１中間ユニット１５０と同様にして、第４系統確認信号を使い、伝送線５０４に接続されている複数の第２利用ユニット２２０を、第１層グループに属さず且つ第２層グループに属する機器として認識することができる。
【０１１１】
（１０）変形例
（１０−１）変形例１Ａ，２Ａ，３Ａ
上記第１実施形態、第２実施形態及び第３実施形態では、第１系統確認信号と第２系統確認信号の送信と受信に、送信機５５ｂ，７０ｄと受信機６３ｂ，７０ｂを用いる場合について説明したが、送信機５５ｂ，７０ｄと受信機６３ｂ，７０ｂの代わりに送受信機を用いることができる。
【０１１２】
（１０−２）変形例１Ｂ，２Ｂ，３Ｂ
第１実施形態及び第２実施形態では、第１熱源ユニット１１０と第２熱源ユニット２１０の熱源側コントローラ５５が、それぞれ、第１冷媒系統１００に属する第１機器を認識し、第２冷媒系統２００に属する第２機器を認識する場合について説明した。また、第３実施形態では、熱源側コントローラ５５と中間コントローラ７０が、第１冷媒系統１００に属する第１機器を認識し、第２冷媒系統２００に属する第２機器を認識する場合について説明した。しかし、第１冷媒系統１００に属する第１機器を認識し、第２冷媒系統２００に属する第２機器を認識する認識用機器は、熱源側コントローラ５５と中間コントローラ７０には限られない。
【０１１３】
例えば、伝送線３０３に接続された集中コントローラ、伝送線４０１と伝送線４０２に接続された集中コントローラ、または伝送線５０１と伝送線５０２に接続された集中コントローラが認識用機器を備えていてもよい。集中コントローラは、空気調和システム１の全体的な制御を行う装置である。これらの場合、集中コントローラが、熱源側コントローラ５５または中間コントローラ７０に相当する機器を備える。
【０１１４】
（１０−３）変形例３Ｃ
上記第３実施形態では、第１系統確認信号がフィルタ５０６を通過し、第２系統確認信号がフィルタ５０７を通過する構成とする場合を例に挙げて説明した。しかし、空気調和システム１は、第１系統確認信号がフィルタ５０６で遮断され、第２系統確認信号がフィルタ５０７で遮断される構成にすることもできる。その場合には、例えば、第１中間ユニット１５０が、伝送線５０２に接続されている複数の第１利用ユニット１２０の通信アドレスを収集して、収集した通信アドレスを第１冷媒系統１００に属する機器の通信アドレスとして第１熱源ユニット１１０に送信するように構成すればよい。同様に、第２中間ユニット２５０が、伝送線５０４に接続されている複数の第２利用ユニット２２０の通信アドレスを収集して、収集した通信アドレスを第２冷媒系統２００に属する機器の通信アドレスとして第２熱源ユニット２１０に送信するように構成すればよい。
【０１１５】
（１１）特徴
（１１−１）
上述の空気調和システム１は、第１系統確認信号を使って、第１機器である第１熱源ユニット１１０及び複数の第１利用ユニット１２０、あるいは第１熱源ユニット１１０、複数の第１利用ユニット１２０、第１中間ユニット１５０を第１冷媒系統１００に属すると認識することができる。空気調和システム１は、第２系統確認信号を使って、第２機器である第２熱源ユニット２１０及び複数の第２利用ユニット２２０、あるいは第２熱源ユニット２１０、複数の第２利用ユニット２２０及び第２中間ユニット２５０を第２冷媒系統２００に属すると認識することができる。さらに、空気調和システム１は、第１冷媒系統１００と第２冷媒系統２００の両方で使用する情報も、通信回線３００，４００または５００で、通信信号を使って、第１熱源ユニット１１０、複数の第１利用ユニット１２０及び第１中間ユニット１５０並びに、第２熱源ユニット２１０、複数の第２利用ユニット２２０及び第２中間ユニット２５０の全体で送受信できる。
【０１１６】
（１１−２）
第２実施形態の空気調和システム１では、通信回線４００は、通信信号を通過させ、第１系統確認信号及び第２系統確認信号を遮断するフィルタ４０３を、第１熱源ユニット１１０及び複数の第１利用ユニット１２０と第２熱源ユニット２１０及び複数の第２利用ユニット２２０との間に配置して敷設されている。第３実施形態の空気調和システム１では、通信回線５００は、通信信号を通過させ、第１系統確認信号及び第２系統確認信号を遮断するフィルタ５０５を、第１熱源ユニット１１０、複数の第１利用ユニット１２０及び第１中間ユニット１５０と、第２熱源ユニット２１０、複数の第２利用ユニット２２０及び第２中間ユニット２５０との間に配置して敷設されている。その結果、空気調和システム１の通信回線４００，５００は、通信可能な範囲を通信信号と第１系統確認信号と第２系統確認信号について異ならせる敷設を、フィルタ４０３，５０５を使って簡単に実現することができる。
【０１１７】
（１１−３）
上述の空気調和システム１では、通信回線４００，５００にハイパスフィルタを用いると、通信可能な範囲を通信信号と第１系統確認信号と第２系統確認信号について異ならせる通信回線４００，５００の敷設を簡単に実現することができる。
【０１１８】
（１１−４）
第１実施形態、第２実施形態または第３実施形態の空気調和システム１では、第１熱源ユニット１１０の熱源側コントローラ５５は、第１系統確認信号を使って通信できる機器を複数の第１機器として認識する認識用機器として機能している。第１熱源ユニット１１０の熱源側コントローラ５５が、複数の第１利用ユニット１２０または、複数の第１利用ユニット１２０及び第１中間ユニット１５０が第１冷媒系統１００に属する機器として第１熱源ユニット１１０に認識させる。その結果、第１冷媒系統１００の第１冷媒に係わる動作を、第１熱源ユニット１１０が、複数の第１利用ユニット１２０または、複数の第１利用ユニット１２０及び第１中間ユニット１５０と協働して行ない易くなる。
【０１１９】
（１１−５）
第３実施形態の空気調和システム１では、第１熱源ユニット１１０の熱源側コントローラ５５０は、複数の第１機器の中から第１層グループに属する機器と中間認識用機器とを認識する第１層認識用機器として機能している。そして、中間認識用機器である第１中間ユニット１５０の中間コントローラ７０により、伝送線５０２に接続している複数の第１利用ユニット１２０が、第１層グループに属さず且つ第２層グループの複数の第１機器として認識される。そして、これら中間認識用機器が、伝送線５０２に接続している複数の第１利用ユニット１２０を、第１層グループに属さず且つ第２層グループの複数の第１機器として、第１熱源ユニット１１０に認識させる。その結果、第１冷媒系統１００の第２層グループの第１冷媒に係わる動作を、第１熱源ユニット１１０、第１中間ユニット１５０、及び第１中間ユニット１５０に接続している複数の第１利用ユニット１２０が、協働して行ない易くなる。
【０１２０】
（１１−６）
第２実施形態では、伝送線４０１が、通信信号及び第１系統確認信号について共通化されている信号線である。第３実施形態では、伝送線５０１，５０２が、通信信号及び第１系統確認信号について共通化されている信号線である。信号線が共通化されることで、通信回線４００，５００の敷設が簡素化される。
【０１２１】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１２２】
１  空気調和システム
５５  熱源側コントローラ  （認識用機器、第１層認識用機器の例）
６３  利用側コントローラ
７０  中間コントローラ  （認識用機器、中間認識用機器の例）
１００  第１冷媒系統
１１０  第１熱源ユニット  （第１機器の例）
１２０  第１利用ユニット  （第１機器の例）
１５０  第１中間ユニット  （第１機器の例）
２００  第２冷媒系統
２１０  第２熱源ユニット  （第２機器の例）
２２０  第２利用ユニット  （第２機器の例）
２５０  第２中間ユニット  （第２機器の例）
３００，４００，５００  通信回線
４０３，５０５  フィルタ
５０６，５０７  フィルタ
【先行技術文献】
【特許文献】
【０１２３】
【特許文献１】特開２０１６−２１９９８３号公報
【図１】
2020165605.tif 000003
【図２】
2020165605.tif 000004
【図３】
2020165605.tif 000005
【図４】
2020165605.tif 000006